(57)【特許請求の範囲】
【請求項１】
下記の（Ａ）〜（Ｅ）成分を含有し、上記（Ｃ）成分と（Ｄ）成分の含有割合（Ｃ）／（Ｄ）が、質量基準で１／１．６〜１／３に設定され、かつ、組成物全体における固形分濃度が２４．０〜７３．０質量％に設定されていることを特徴とする自動食器洗浄機用液体洗浄剤組成物。
（Ａ）水酸化アルカリ金属塩、ケイ酸塩、炭酸塩および重炭酸塩からなる群から選択される少なくとも１つのアルカリ剤２．０〜３０．０質量％。
（Ｂ）金属イオン封鎖剤５．０〜３５．０質量％。
（Ｃ）アルケニルジカルボン酸ジアルカリ金属塩からなる可溶化剤１．０〜１７．０質量％。
（Ｄ）非イオン界面活性剤１．０〜３５．０質量％。
（Ｅ）水。
【請求項２】
塩素系漂白剤が、有効塩素濃度として０．２〜２．０質量％の割合で含有されている請求項１記載の自動食器洗浄機用液体洗浄剤組成物。
【請求項３】
上記塩素系漂白剤が次亜塩素酸ナトリウムである請求項２記載の自動食器洗浄機用液体洗浄剤組成物。
【請求項４】
水溶性溶剤が、組成物全体に対し３．０〜１５．０質量％の割合で含有されている請求項１または２記載の自動食器洗浄機用液体洗浄剤組成物。
【請求項５】
アルカリ剤として少なくとも水酸化アルカリ金属塩が用いられており、上記水酸化アルカリ金属塩の含有割合が、組成物全体に対し５．０質量％未満に設定されている請求項１〜３のいずれか一項に記載の自動食器洗浄機用液体洗浄剤組成物。
【発明の詳細な説明】
【０００１】
【発明の属する技術分野】
本発明は、ガラス、陶磁器、金属、プラスチック等の硬表面の洗浄に適し、高い洗浄性能とともに低温時・高温時における貯蔵安定性、洗浄すすぎ後の仕上がり性に優れた自動食器洗浄機用液体洗浄剤組成物に関する。
【０００２】
【従来の技術】
従来から、ホテル、レストラン、学校、病院、飲食店、給食会社、会社の食堂等において、使用後の食器を効率よく洗浄するため、自動食器洗浄機が広く用いられている。また、食器に限らず、各種製造工場，加工工場等においても、器具や容器、流通に用いられるプラスチックコンテナ等を洗浄するために自動洗浄機が用いられている。
【０００３】
これらの自動洗浄機に用いられる液体洗浄剤には、強固な油脂汚れを落とすことを目的として、水酸化ナトリウム、水酸化カリウム等の水酸化アルカリ金属塩が、通常１０〜５０質量％（以下「％」と略す）程度配合されている。
【０００４】
【発明が解決しようとする課題】
しかしながら、環境問題や安全性の点から、最近では、よりマイルドなアルカリ剤の使用や、上記水酸化アルカリ金属塩に替わって油脂汚れに対して高い洗浄性能を有する成分の配合が要求されるようになっている。そこで、洗浄性能に優れた各種界面活性剤を用いることが提案されているが、界面活性剤には、泡立ちが多くポンプを介したノズル噴射式の機械洗浄に適していないものや、洗浄剤組成物のアルカリ等によって容易に分解してしまうもの等が多い。また、こうした泡立ちや分解のない界面活性剤においては、洗浄剤組成物自体が、分離・沈殿等を起こし、使用時における均質な液体洗浄剤組成物が得られにくいという問題がある。
【０００５】
一方、均質な液体洗浄剤組成物を得るために、アルキルカルボン酸塩、脂肪酸塩（石鹸）、リン酸エステル塩、メタキシレンスルホン酸塩などの可溶化剤を用いて界面活性剤を可溶化する試みもなされているが、充分な効果が得られず、特に、洗浄剤組成物の有効成分量を高濃度にすることへの足かせとなっている。
【０００６】
例えば、特開昭５６−４５９９７号公報には、水酸化ナトリウム１７〜２５％、２−ヒドロキシエチルイミノジ酢酸ナトリウム４〜１８％を必須成分とした硬表面洗浄用アルカリ性洗浄剤が開示されている。このものは、低温安定性に優れているものの、アルカリ性が比較的強く、他の界面活性剤成分や中性塩を含有させた場合、均質な液体を維持しにくいという問題がある。
【０００７】
また、特開平２−５５８００号公報には、主成分としての洗浄剤と、補助洗浄成分としての界面活性剤とを分離した形態として構成したことを特徴とする洗剤およびその洗剤の供給装置が開示されている。このものは、弱アルカリ性で、従来のものに比べて安全性に優れている反面、洗剤が２種以上に分離しているため、各成分が等しい割合で消費されずに不揃いで残るという問題や、専用の洗剤供給装置の作動にトラブルが生じると各成分の混合比が乱れて、均質な洗い上がりが得られない等の問題がある。
【０００８】
さらに、特開平６−３３１００号公報には、低泡性非イオン界面活性剤、洗浄ビルダー、特定の脂肪族カルボン酸とを必須成分とする自動食器洗浄機用洗浄剤が開示されている。このものは、低泡性非イオン界面活性剤を比較的多く配合しているにもかかわらず、全体が均質で安定しているという利点を有しているが、−６℃までの低温安定性しか備えておらず、広範な温度環境での安定性を備えたものではない。
【０００９】
このように、従来の洗浄剤は、〔１〕マイルドなアルカリ剤であること、〔２〕洗浄性能に優れていること、〔３〕低泡性であること、〔４〕すすぎ後の仕上がり性（スポットが残留しない性能）に優れていること、〔５〕広範な温度環境下で安定して均質な液体であること、の５つの条件を全て兼ね備えているものがなく、何らかの問題を有している。
【００１０】
本発明は、このような事情に鑑みなされたもので、強アルカリ剤とされる水酸化ナトリウム、水酸化カリウム等の水酸化アルカリ金属塩の配合割合を従来に比べて大幅に減らし、このため、環境への影響も低減することができ、かつ優れた洗浄性能と低泡性と広範な温度環境における貯蔵安定性を備え、しかもすすぎ後の仕上がり性にも優れている自動食器洗浄機用液体洗浄剤組成物の提供をその目的とする。
【００１１】
【課題を解決するための手段】
上記の目的を達成するため、本発明は、下記の（Ａ）〜（Ｅ）成分を含有し、上記（Ｃ）成分と（Ｄ）成分の含有割合（Ｃ）／（Ｄ）が、質量基準で１／１．６〜１／３に設定され、かつ、組成物全体における固形分濃度が２４．０〜７３．０％に設定されている自動食器洗浄機用液体洗浄剤組成物を第１の要旨とする。
（Ａ）水酸化アルカリ金属塩、ケイ酸塩、炭酸塩および重炭酸塩からなる群から選択される少なくとも１つのアルカリ剤２．０〜３０．０％。
（Ｂ）金属イオン封鎖剤５．０〜３５．０％。
（Ｃ）アルケニルジカルボン酸ジアルカリ金属塩からなる可溶化剤１．０〜１７．０％。
（Ｄ）非イオン界面活性剤１．０〜３５．０％。
（Ｅ）水。
【００１２】
また、本発明は、そのなかでも、特に、塩素系漂白剤が、有効塩素濃度として０．２〜２．０％の割合で含有されているものを第２の要旨とし、そのなかでも特に、上記塩素系漂白剤が次亜塩素酸ナトリウムである自動食器洗浄機用液体洗浄剤組成物を第３の要旨とする。
【００１３】
さらに、本発明は、これらの自動食器洗浄機用液体洗浄剤組成物のなかでも、特に、水溶性溶剤が、組成物全体に対し３．０〜１５．０％の割合で含有されているものを第４の要旨とし、アルカリ剤として少なくとも水酸化アルカリ金属塩が用いられており、上記水酸化アルカリ金属塩の含有割合が、組成物全体に対し５．０％未満に設定されているものを第５の要旨とする。
【００１４】
【発明の実施の形態】
つぎに、本発明の実施の形態を詳細に説明する。
【００１５】
本発明の自動食器洗浄機用液体洗浄剤組成物（以下、「液体洗浄剤組成物」と略す）は、特定のアルカリ剤（Ａ成分）と、金属イオン封鎖剤（Ｂ成分）と、特定の可溶化剤（Ｃ成分）と、非イオン界面活性剤（Ｄ成分）と水（Ｅ成分）とを含有するもので、その形態は、液体である。
【００１６】
上記アルカリ剤（Ａ成分）としては、水酸化ナトリウム、水酸化カリウム等の水酸化アルカリ金属塩、炭酸ナトリウム、炭酸カリウム等の炭酸塩、重炭酸ナトリウムなどの重炭酸塩、メタケイ酸ナトリウム，オルソケイ酸ナトリウム，メタケイ酸カリウム，オルソケイ酸カリウム等のケイ酸塩等があげられ、これらは、単独で用いても２種以上を組み合わせて用いてもよい。
【００１７】
そして、上記アルカリ剤は、洗浄剤組成物中に２．０〜３０．０％配合される。２．０％未満では、他の成分とのバランスにおいて充分な洗浄性能が発揮しにくく、特に、油脂汚れに対する洗浄性能に乏しくなる。一方、３０．０％を超えると、他の成分とのバランスの点で好ましくない。
【００１８】
なお、水酸化ナトリウム、水酸化カリウム等の水酸化アルカリ金属塩を用いる場合には、水酸化アルカリ金属塩の含有量（２種以上の場合はその総和量）が、組成物全体に対し、５．０％未満の割合となるよう設定することが好適である。
【００１９】
また、本発明に用いられる金属イオン封鎖剤（Ｂ成分）としては、ニトリロ三酢酸、ヒドロキシエチルエチレンジアミン三酢酸、エチレンジアミン四酢酸、プロピレンジアミン四酢酸、ジエチレントリアミン五酢酸、グリコールエーテルジアミン四酢酸、トリエチレンテトラミン六酢酸、ビス（２−ヒドロキシフェニル酢酸）エチレンジアミン、ジエンコル酸、イミノジ酢酸、ヒドロキシエチルイミノジ酢酸およびその塩等のアミノポリ酢酸およびこれらのアルカリ金属塩、アルカリ土類金属塩、アンモニウム塩、若しくはアルカノールアミン塩等があげられる。また、オルソリン酸、ポリリン酸、ピロリン酸、メタリン酸、ヘキサメタリン酸およびそのアルカリ金属塩が用いられる。これらと化合させるアルカリ金属としては、ナトリウム、カリウム等があげられる。
【００２０】
さらに、エタン−１，１−ジホスホン酸、エタン−１，１，2 −トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸、アミノトリメチレンホスホン酸等のホスホン酸化合物、またはこれらのアルカリ金属塩、アルカリ土類金属塩、アンモニウム塩もしくはアルカノールアミン塩、２−ホスホノブタン−１，２−ジカルボン酸、１−ホスホノブタン−２，３，４−トリカルボン酸、α−メチルホスホノコハク酸等のホスホノカルボン酸化合物、またはこれらのアルカリ金属塩、アルカリ土類金属塩、アンモニウム塩もしくはアルカノールアミン塩等を用いることができる。
【００２１】
さらにまた、ポリアクリル酸、ポリアコニット酸、ポリイタコン酸、ポリシトラコン酸、ポリフマル酸、ポリマレイン酸、ポリメタコン酸、ポリ−α−ヒドロキシアクリル酸、ポリビニルホスホン酸、スルホン化ポリマレイン酸、無水マレイン酸ジイソブチレン共重合体、無水マレイン酸スチレン共重合体、無水マレイン酸メチルビニルエーテル共重合体、無水マレイン酸エチレン共重合体、無水マレイン酸エチレンクロスリンク共重合体、無水マレイン酸酢酸ビニル共重合体、無水マレイン酸アクリロニトリル共重合体、無水マレイン酸アクリル酸エステル共重合体、無水マレイン酸ブタジエン共重合体、無水マレイン酸イソプレン共重合体、無水マレイン酸と一酸化炭素から誘導されるポリ−β−ケトカルボン酸、イタコン酸、エチレン共重合体、イタコン酸アコニット酸共重合体、イタコン酸マレイン酸共重合体、イタコン酸アクリル酸共重合体、マロン酸メチレン共重合体、イタコン酸フマール酸共重合体、エチレングリコールエチレンテレフタレート共重合体、ビニルピロリドン酢酸ビニル共重合体等があげられる。なかでも、耐硬水性能、洗浄性能、経済性の点から、ニトリロ三酢酸三ナトリウム、エチレンジアミン四酢酸四ナトリウム、トリポリリン酸ナトリウム、ピロリン酸ナトリウム、オルソリン酸ナトリウム、ポリアクリル酸ナトリウムを用いることが好適である。
【００２２】
そして、これらの金属イオン封鎖剤は、単独で用いても２種以上を組み合わせて用いてもよく、その配合割合は、洗浄剤組成物中に５．０〜３５．０％に設定される。すなわち、５．０％未満では、充分な洗浄性能、耐硬水性能が得られず、また、３５．０％を超えると、さらなる洗浄性能の向上は得られず、また、経済的にも好ましくない。
【００２３】
また、本発明に用いられる可溶化剤（Ｃ成分）としては、アルケニルジカルボン酸ジアルカリ金属塩があげられ、単一のものを用いても、２種以上のものを組み合わせて用いてもよい。そして、上記可溶化剤は、洗浄剤組成物中に１．０〜１７．０％配合される。すなわち、１．０％未満では、界面活性剤の可溶化性能に乏しく、１７．０％を超えると、経済的に好ましくなく、また、他の成分とのバランスから、より少ないことが好ましいからである。
【００２４】
なお、上記可溶化剤は、低泡性であることが好ましく、その点から、アルケニル基の炭素数が７〜１６のアルケニルコハク酸ジカリウムが好ましい。そして、なかでも特に、アルケニル基の炭素数が９〜１４のアルケニルコハク酸ジカリウムが好適に用いられる。
【００２５】
さらに、本発明に用いられる非イオン界面活性剤（Ｄ成分）としては、ポリオキシエチレンアルキルエーテル、ポリオキシアルキレンジアルキルエーテル、ポリオキシエチレンアルケニルエーテル、ポリオキシアルキレンアルキルフェニルエーテル、プルロニック型ブロックポリマー、テトロニック型ブロックポリマー、リバースプルロニック型ブロックポリマー、リバーステトロニック型ブロックポリマー、蔗糖脂肪酸エステル、ソルビタン脂肪酸エステル、ポリエチレングリコール脂肪酸エステル、グリセリン脂肪酸エステル、ポリグリセリン脂肪酸エステル、プロピレングリコール脂肪酸エステル、ポリプロピレングリコール脂肪酸エステル等の脂肪酸エステル、ヤシ脂肪酸ジエタノールアミド（１：１）、ヤシ脂肪酸ジエタノールアミド（１：２）、ラウリン酸ジエタノールアミド、ラウリン酸ミリスチン酸ジエタノールアミド、ミリスチン酸ジエタノールアミド、オレイン酸ジエタノールアミド、パーム核脂肪酸ジエタノールアミド等の脂肪酸アルカノールアミド類、アルキルグルコシド類等があげられる。これらの非イオン界面活性剤は、単独で用いても２種以上を組み合わせて用いてもよい。
【００２６】
そして、上記非イオン界面活性剤のなかでも、特に、低泡性で、洗浄性能を有するものが好ましく、その点から、ポリオキシエチレンアルキルエーテル、ポリオキシアルキレンジアルキルエーテル、ポリオキシアルキレンアルキルフェニルエーテル、プルロニック型ブロックポリマー、テトロニック型ブロックポリマー、リバースプルロニック型ブロックポリマー、リバーステトロニック型ブロックポリマーが好適に用いられる。
【００２７】
なお、上記非イオン界面活性剤は、上記Ａ成分のアルカリ剤の配合量を低減した場合に主として油汚れに対する洗浄性能を補完する作用を果たし、しかも、洗浄すすぎ後における食器等の硬表面へのスポット跡を大幅に減らす作用を果たす。
【００２８】
上記非イオン界面活性剤の配合量は、１．０〜３５．０％に設定される。すなわち、１．０％未満では、充分な洗浄性能が得られず、３５．０％を超えると、コスト面、他の成分とのバランスなどから好ましくない。
【００２９】
また、上記Ｃ成分である可溶化剤と、Ｄ成分である非イオン界面活性剤との含有割合は、透明な外観、低温時および高温時における分離・沈殿のない貯蔵安定性、洗浄すすぎ後の仕上がり性の点から、質量基準で１／１．６〜１／３に設定しなければならない。すなわち、上記範囲から外れると、他の成分とのバランスがくずれ、いずれかの性能が損なわれてしまうからである。
【００３０】
さらに、上記Ａ〜Ｄ成分とともに用いられるＥ成分である水としては、水道水、軟水、イオン交換水、純水、精製水等があげられ、好ましくは、軟水、イオン交換水、純水が用いられる。なお、上記「水」は、洗浄剤組成物を構成する各成分に由来する結晶水や水溶液の形で含まれる水を除く、単独成分としての水であり、洗浄剤組成物中に、バランスとして、全体が１００％となるよう配合される。
【００３１】
なお、本発明の液体洗浄剤組成物には、洗浄剤組成物に漂白効果を付与させるほか、他の成分とのバランスによる相乗効果において、特に、タンパク質汚れの分解促進を目的として、塩素系漂白剤を適宜配合することができる。このような塩素系漂白剤としては、次亜塩素酸ナトリウム、次亜塩素酸リチウム、モノクロラミン、ジクロラミン等があげられ、好ましくは、次亜塩素酸ナトリウムが用いられる。
【００３２】
上記塩素系漂白剤を配合する場合は、その配合割合が、有効塩素濃度として０．２〜２．０％となるよう設定することが好適である。すなわち、０．２％未満では上記効果に乏しく、２．０％を超えるとさらなる効果が期待できないほか、他の成分とのバランスがとりにくくなるからである。
【００３３】
また、本発明の液体洗浄剤組成物には、洗浄剤溶液中への油脂汚れの乳化分散を促進させる目的で、水溶性溶剤を適宜配合することができる。このような水溶性溶剤としては、プロピレングリコール、エチレングリコール、ポリエチレングリコール等のグリコール類、エチルアルコール、イソプロピルアルコール、メタノール等の低級アルコール類、グリセリン、エチレングリコールモノブチルエーテル、ジエチレングリコールモノエチルエーテル、ジエチレングリコールモノブチルエーテル、プロピレングリコールモノメチルエーテル、ジエチレングリコールモノエチルエーテルアセテート、ジエチレングリコールモノブチルエーテルアセテート等のグリコールエーテル類などがあげられ、洗浄剤組成物の保存安定性や臭いの点から、プロピレングリコール、ポリエチレングリコール、エチルアルコールが好ましく用いられる。なかでも、経済性や貯蔵安定性の点から、プロピレングリコールが好適に用いられる。これらは単独で用いても、または２種以上を組み合わせて用いることもできる。
【００３４】
上記水溶性溶剤を配合する場合は、その配合割合が、組成物全体に対し３．０〜１５．０％となるよう設定することが好適である。すなわち、３．０％未満では、油脂汚れの乳化分散促進効果に乏しく、１５．０％を超えると洗浄剤組成物全体のバランスがとりにくくなるからである。
【００３５】
さらに、本発明の液体洗浄剤組成物には、任意成分として香料、染料、金属腐食抑制剤、酸化防止剤、およびその他の洗浄ビルダーとして、クエン酸、リンゴ酸、グルコン酸、マレイン酸、酒石酸、フマル酸、乳酸、ジグリコール酸、オキシジコハク酸、カルボキシメチルオキシコハク酸、カルボキシメチル酒石酸等の有機酸またはこれらのアルカリ金属塩、アルカリ土類金属塩、アンモニウム塩若しくはアルカノールアミン塩、または硫酸ナトリウム、硫酸カリウム等の硫酸塩のほか、アスパラギン酸、グルタミン酸等のアミノ酸またはこれらのアルカリ金属塩、アルカリ土類金属塩、アンモニウム塩もしくはアルカノールアミン塩等を用いることができる。さらに分散剤として、ポリビニルアルコール、ポリビニルピロリドン、カルボキシメチルセルロース、キサンタンガム、グアガム、カラギーナン等を用いることができる。
【００３６】
これらの必須成分および任意成分を用いて得られる本発明の液体洗浄剤組成物は、強アルカリ剤である水酸化アルカリ金属塩を大幅に低減したにもかかわらず、優れた洗浄性能と低泡性と広範な温度環境における貯蔵安定性を備えており、しかもすすぎ後の仕上がり性にも優れている。
【００３７】
したがって、ガラス、陶磁器、金属、プラスチック等の硬表面の自動洗浄機用途として使用可能であり、特に、ホテル、レストラン、学校、病院、飲食店、給食会社、会社の食堂等における自動食器洗浄機に用いるのに好適である。
【００３８】
つぎに、実施例について比較例と併せて説明する。
【００３９】
【実施例１〜２０、比較例１〜１１】
後記の表１〜表８に示す組成の洗浄剤組成物を調製し、その外観と、泡立ち性と、貯蔵安定性と、洗浄性能と洗浄後仕上がり性能の５項目について評価した。その結果を後記の表１〜表８に併せて示す。なお、各評価項目の試験方法は、以下に示すとおりである。
【００４０】
〔外観試験〕
・試験方法
洗浄剤組成物の調製直後における洗浄剤組成物の外観を目視により、下記の評価基準で評価した。
・評価基準
○…透明で、分離や白濁・沈殿は認められない。
×…分離や白濁・沈殿が認められる。
【００４１】
〔泡立ち試験〕
・試験方法
調製された洗浄剤組成物を業務用の自動食器洗浄機（型式：ＤＷ−ＲＤ６１、三洋電機社製）に投入し、下記の運転条件で運転した。そして、洗浄液の泡立ちを目視により後記の評価基準で評価した。
＊運転条件
洗剤濃度：０．１５％
洗浄温度：６０℃
洗浄コース  ：標準洗浄サイクル（洗浄時間：４３秒、すすぎ時間１５秒）
水道水の硬度：（ＣａＣＯ3 として）７０〜８０ｐｐｍ
・評価基準
○…運転時に泡が液面から５０ｍｍ未満で、かつ運転終了後速やかに泡が消え
る。
×…運転時に泡が液面から５０ｍｍ以上であるか、運転終了後１分経過しても
泡が消えずに残っている。
【００４２】
〔貯蔵安定性〕
・試験方法
調製された洗浄剤組成物を１００ミリリットルのポリ容器に入れ、−１５℃フリーザー（型式：ＭＤＦ−Ｕ３３２、三洋電機社製）および５０℃インキュベーター（型式：ＤＮ−４１、ヤマト科学社製）に３ヶ月配置し、状態の変化を目視により、下記の評価基準で評価した。
・評価基準
○…変化なし。
×…析出や分離などがみられた。
【００４３】
〔洗浄性能評価〕
・試験方法
調製された洗浄剤組成物を業務用の自動食器洗浄機（型式：ＤＷ−ＲＤ６１、三洋電機社製）に投入し、下記の運転条件で運転した。そして、下記の被洗浄物である陶器皿を１０枚１組として洗浄し、その洗浄性能を後記の評価基準で評価した。
＊運転条件
洗剤濃度    ：０．１５％
洗浄温度    ：６０℃
すすぎ温度  ：８０℃
洗浄コース  ：標準洗浄サイクル（洗浄時間：４３秒、すすぎ時間１５秒）
水道水の硬度：（ＣａＣＯ3 として）７０〜８０ｐｐｍ
標準汚れ    ：マーガリン７０質量部（以下「部」と略す）を加温溶解した
後、粉ミルク１５部、無脂肪ミルク５部、小麦粉１０部を加えて均一
にし、さらに水３０部を加えてペースト状にして標準汚れとした。
被洗浄物    ：直径２０cmの陶器皿に上記標準汚れを８ｇ／枚となるように
付着させ、常温で１時間乾燥させたものを用いた。
・評価基準
◎…９０％以上の汚れ除去
○…７０〜９０％未満の汚れ除去
△…５０から７０％未満の汚れ除去
×…５０％未満の汚れ除去
【００４４】
〔洗浄後仕上がり性能評価〕
・試験方法
調製された洗浄剤組成物を業務用の自動食器洗浄機（型式：ＤＷ−ＲＤ６１、三洋電機社製）に投入し、下記の条件で運転した。そして、後記に示す被洗浄物であるガラスコップを１０個１組として洗浄し、洗浄後の仕上がり性能を後記の評価基準で評価した。
＊運転条件
洗剤濃度    ：０．１５％
洗浄温度    ：６０℃
すすぎ温度  ：８０℃
洗浄コース  ：標準洗浄サイクル（洗浄時間：４３秒、すすぎ時間１５秒）
使用水の硬度：（ＣａＣＯ3 として）７０〜８０ｐｐｍ
被洗浄物    ：８オンスのガラスコップ（佐々木硝子社製）に牛乳を注いだ
後、５分間放置した。ついで、牛乳を捨てた後、水ですすぐことなく
３０分間風乾した。
・評価基準
◎…ウォータースポットが全くみられない。
○…ウォータースポットが１〜２個みられる。
△…ウォータースポットが３〜５個みられる。
×…ウォータースポットが６個以上みられる。
【００４５】
なお、後記の表１〜表８において、用いた成分の詳細は、下記のとおりである。
＊１：純分４８％の水溶液。
＊２：純分４５％の水溶液（ＭＷ＝４０００）。
＊３：純分４３％の水溶液（Ｃ＝９、ＭＷ＝２２４）。
商品名ゲノプアーＡＳＡ、クラリアント社製。
＊４：ポリオキシアルキレンモノアルキルエーテル。
商品名コニオン２７５−３０、新日本理化社製。
＊５：ポリオキシアルキレンジアルキルエーテル。
商品名プルラファックＬＦ３０１、ＢＡＳＦ社製。
＊６：ポリオキシアルキレンアルキルフェニルエーテル。
商品名ノイゲンＥＡ−９２、第一工業製薬社製。
＊７：プルロニック型ブロックポリマー（ＥＯ＝２０％、ＭＷ＝１５００）。
商品名エパン４２０、第一工業製薬社製。
＊８：プルロニック型ブロックポリマー（ＥＯ＝２０％、ＭＷ＝２５００）。
商品名エパン７２０、第一工業製薬社製。
＊９：テトロニック型ブロックポリマー
商品名アデカプルロニックＴＲ−７０１、旭電化工業社製。
＊１０：リバースプルロニック型ブロックポリマー
商品名プルロニックＲＰＥ２５２０、ＢＡＳＦ社製。
＊１１：純分６８％の水溶液。
＊１２：有効成分１２％
＊１３：純分６０％の水溶液。
＊１４：純分４０％の水溶液。
＊１５：純分４３％の水溶液（Ｃ＝１２）。
＊１６：純分４３％の水溶液（Ｃ＝１４）。
【００４６】
【表１】
0004181727.tif 000002
【００４７】
【表２】
0004181727.tif 000003
【００４８】
【表３】
0004181727.tif 000004
【００４９】
【表４】
0004181727.tif 000005
【００５０】
【表５】
0004181727.tif 000006
【００５１】
【表６】
0004181727.tif 000007
【００５２】
【表７】
0004181727.tif 000008
【００５３】
【表８】
0004181727.tif 000009
【００５４】
上記の結果から、実施例品はいずれも、全評価項目において、優れた特性を示すことがわかる。
【００５５】
【発明の効果】
以上のように、本発明の液体洗浄剤組成物は、一般的なアルカリ性液体洗浄剤組成物に比べて、強アルカリ剤である水酸化アルカリ金属塩を大幅に低減したにもかかわらず、優れた洗浄性能を備えており、環境への影響も低減された洗剤となる。また、広範な温度環境における貯蔵安定性を備えており、分離・白濁を生じないため、外観的に優れ、かつ取扱い性も良好である。そして、特定の可溶化剤（アルケニルジカルボン酸ジアルカリ金属塩）を配合することによって、非イオン界面活性剤が配合されていても、均質な一液型の洗浄剤組成物となっているため、上記の優れた性能の他、洗浄すすぎ後におけるスポット跡の除去性能にも優れている。
【００５６】
したがって、本発明の液体洗浄剤組成物は、ガラス、陶磁器、金属、プラスチック等の硬表面の自動洗浄機用途として使用可能であり、特に、ホテル、レストラン、学校、病院、飲食店、給食会社、会社の食堂等における自動食器洗浄機に用いるのに好適である。